(57)【要約】【課題】  電池用電極を絶縁基板に簡単確実に半田付けすること。【解決手段】  電池用電極３が電極本体３Ａと電極脚３Ｂとからなり、該電極脚３Ｂの中央適所を略Ｕ字状に折り曲げてＵ字枠４が形成され、その電極脚３Ｂの端部から直角に折り曲げた長尺部１１ａと該長尺部１１ａの先端から略Ｊ字状に折り曲げた短尺部１１ｂとからなるＪ字枠１１が形成され、短尺部１１ｂの先端から電極脚３Ｂまでの間隔ｋが絶縁基板２の厚さｍと同一またはわずかに大きく設定され、Ｕ字枠４からＪ字枠１１の長尺部１１ａまでの間隔ｐが長孔６から絶縁基板２の端縁２ａまでの間隔ｒと同一またはわずかに大きく設定されており、Ｊ字枠１１を絶縁基板２の端縁２ａに係合させると共に、Ｕ字枠４を長孔６に嵌入させ、Ｊ字枠１１の短尺部１１ｂの先端を絶縁基板２の裏面に当接または接近させ、Ｕ字枠４及びＪ字枠１１に半田付け９を施す。【選択図】        図３
2008066011.tif 000002
【特許請求の範囲】
【請求項１】
リモコン本体内の絶縁基板に配置した電池用電極であって、線材を渦巻き状に形成した
電極本体と、該電極本体から線材を延ばして形成した電極脚とからなり、該電極脚の中央
適所を略Ｕ字状に折り曲げてＵ字枠が形成されており、該Ｕ字枠を絶縁基板の長孔に嵌入
させ、そのＵ字枠を絶縁基板の裏面のランドに半田付けするようにしたリモートコントロ
ーラにおいて、前記電極脚の端部から直角に折り曲げた長尺部と該長尺部の先端から略Ｊ
字状に折り曲げた短尺部とからなるＪ字枠が形成され、前記短尺部の先端から電極脚まで
の間隔が絶縁基板の厚さと同一またはわずかに大きく設定され、前記Ｕ字枠からＪ字枠の
長尺部までの間隔が前記長孔から絶縁基板の端縁までの間隔と同一またはわずかに大きく
設定され、前記長孔の長さがＵ字枠の幅よりも大きく設定されており、前記Ｊ字枠を絶縁
基板の端縁に係合させると共に、前記Ｕ字枠を長孔に嵌入させ、前記Ｊ字枠の短尺部の先
端を絶縁基板の裏面に当接または接近させるようにしたことを特徴とするリモートコント
ローラ。
【請求項２】
リモコン本体内の絶縁基板に配置した電池用電極であって、線材を渦巻き状に形成した
電極本体と、該電極本体から線材を延ばして形成した電極脚とからなり、該電極脚の中央
適所を略Ｕ字状に折り曲げてＵ字枠が形成されており、該Ｕ字枠を絶縁基板の長孔に嵌入
させ、そのＵ字枠を絶縁基板の裏面のランドに半田付けするようにしたリモートコントロ
ーラにおいて、前記電極脚の端部から直角に折り曲げた長尺部と該長尺部の先端から略Ｊ
字状に折り曲げた短尺部とからなるＪ字枠が形成され、前記短尺部の先端から電極脚まで
の間隔が絶縁基板の厚さと同一またはわずかに大きく設定されており、Ｊ字枠を絶縁基板
の端縁に係合させると共に、前記Ｕ字枠を長孔に嵌入させ、前記Ｊ字枠の短尺部の先端を
絶縁基板の裏面に当接または接近させるようにしたことを特徴とするリモートコントロー
ラ。
【請求項３】
前記Ｕ字枠からＪ字枠の長尺部までの間隔が前記長孔から絶縁基板の端縁までの間隔と
同一またはわずかに大きく設定されていることを特徴とする請求項２に記載のリモートコ
ントローラ。
【請求項４】
前記長孔の長さがＵ字枠の幅よりも大きく設定されていることを特徴とする請求項３に
記載のリモートコントローラ。
【発明の詳細な説明】
【技術分野】
【０００１】
本発明は、例えばＤＶＤレコーダやＤＶＤプレーヤなどの電気機器を遠隔操作するため
のリモートコントローラに関し、特に、電池用電極を絶縁基板に簡単確実に半田付けする
ことができるようにしたものである。
【背景技術】
【０００２】
従来、例えばＤＶＤレコーダやＤＶＤプレーヤのリモートコントローラの一例として図
６に示すものがある。これは、リモコン本体１内の絶縁基板２にプラス側とマイナス側の
電極３が対向配置され、該両電極３間に電池Ｇを配置するようにしたものであって、リモ
コン本体１の上面に設けた操作部（図示せず）を操作することにより、発光ダイオードＬ
ＥＤから信号を発信する。
【０００３】
前記電極３の技術として特許文献１に記載したものがある。これは、図７（ａ）に示す
ように、線材を渦巻き状に形成した電極本体３Ａと、該電極本体３Ａから線材を延ばして
形成した電極脚３Ｂとからなり、該電極脚３Ｂの中央適所を略Ｕ字状に折り曲げてＵ字枠
４が形成されると共に、その電極脚３Ｂの端部から直角に折り曲げて直線状端部５が形成
され、前記Ｕ字枠４に対向して絶縁基板２に長孔６が形成されると共に、前記直線状端部
５に対向して絶縁基板２に貫通孔７が形成されている。また、Ｕ字枠４の自然状態での幅
ｈが長孔６の長さｔよりも少し長くなっている（ｈ＞ｔ）。なお、８は絶縁基板２の裏面
にプリント印刷したランド、９は半田付けである。
【０００４】
半田付け９の手順を説明すると、組立工程で、図７（ａ）に仮想線で示すように、電極
脚３Ｂを把持して絶縁基板２の長孔６にＵ字枠４を強制的に押し込んで、該Ｕ字枠４を長
孔６の側縁に弾接させると共に、直線状端部５を貫通孔７に差し込むことにより、その電
極３を絶縁基板２上で自立させ、続いて、電極３付き絶縁基板２を半田工程に送り込んで
、図７（ａ）に実線で示すように、絶縁基板２の裏面にディップ半田を施し、Ｕ字枠４及
び直線状端部５をランド８に半田付け９する。
【特許文献１】実用新案登録第３０７０４９９号公報
【発明の開示】
【発明が解決しようとする課題】
【０００５】
上記従来の構成では、組立工程で、電極３のＵ字枠４を長孔６に強制的に押し込むと共
に、直線状端部５を小径の貫通孔７に注意して差し込む必要があり、その作業に手間と時
間とがかかって面倒である。
【０００６】
また、図７（ｂ）に示すように、電極３を絶縁基板２上で自立させたときに、電極本体
３Ａの重みで、該電極本体３Ａ側に重心が偏っており、電極３に矢印ａ方向の負荷がかか
って倒れやすい状態になっている。また、Ｕ字枠４をその弾性に抗して長孔６に強制的に
押し込むことから、その押込力に抗して押上力ｆが発生しており、その押上力ｆと矢印ａ
方向の負荷とで電極脚３Ｂが浮き上がって、その電極脚３Ｂと絶縁基板２との間に隙間α
が生じることがあり、その浮き上がり状態で半田付け９を施した場合には、図７（ｃ）に
示すように、浮き上がった電極脚３Ｂに工具などが当たって押下力Ｆが作用することによ
り、その電極脚３Ｂが押し下げられると、半田付け９がランド８から剥離され、その半田
付け９とランド８との間に隙間βが生じて断線するおそれがある。
【０００７】
本発明は、上記従来の欠点に鑑み、電池用電極を絶縁基板に簡単確実に半田付けするこ
とができるようにしたリモートコントローラを提供することを目的としている。
【課題を解決するための手段】
【０００８】
上記目的を達成するため、請求項１に記載の発明は、リモコン本体内の絶縁基板に配置
した電池用電極であって、線材を渦巻き状に形成した電極本体と、該電極本体から線材を
延ばして形成した電極脚とからなり、該電極脚の中央適所を略Ｕ字状に折り曲げてＵ字枠
が形成されており、該Ｕ字枠を絶縁基板の長孔に嵌入させ、そのＵ字枠を絶縁基板の裏面
のランドに半田付けするようにしたリモートコントローラにおいて、前記電極脚の端部か
ら直角に折り曲げた長尺部と該長尺部の先端から略Ｊ字状に折り曲げた短尺部とからなる
Ｊ字枠が形成され、前記短尺部の先端から電極脚までの間隔が絶縁基板の厚さと同一また
はわずかに大きく設定され、前記Ｕ字枠からＪ字枠の長尺部までの間隔が前記長孔から絶
縁基板の端縁までの間隔と同一またはわずかに大きく設定され、前記長孔の長さがＵ字枠
の幅よりも大きく設定されており、前記Ｊ字枠を絶縁基板の端縁に係合させると共に、前
記Ｕ字枠を長孔に嵌入させ、前記Ｊ字枠の短尺部の先端を絶縁基板の裏面に当接または接
近させるようにしたことを特徴としている。
【０００９】
請求項２に記載の発明は、リモコン本体内の絶縁基板に配置した電池用電極であって、
線材を渦巻き状に形成した電極本体と、該電極本体から線材を延ばして形成した電極脚と
からなり、該電極脚の中央適所を略Ｕ字状に折り曲げてＵ字枠が形成されており、該Ｕ字
枠を絶縁基板の長孔に嵌入させ、そのＵ字枠を絶縁基板の裏面のランドに半田付けするよ
うにしたリモートコントローラにおいて、前記電極脚の端部から直角に折り曲げた長尺部
と該長尺部の先端から略Ｊ字状に折り曲げた短尺部とからなるＪ字枠が形成され、前記短
尺部の先端から電極脚までの間隔が絶縁基板の厚さと同一またはわずかに大きく設定され
ており、Ｊ字枠を絶縁基板の端縁に係合させると共に、前記Ｕ字枠を長孔に嵌入させ、前
記Ｊ字枠の短尺部の先端を絶縁基板の裏面に当接または接近させるようにしたことを特徴
としている。
【００１０】
請求項３に記載の発明は、請求項２に記載の発明において、前記Ｕ字枠からＪ字枠の長
尺部までの間隔が前記長孔から絶縁基板の端縁までの間隔と同一またはわずかに大きく設
定されていることを特徴としている。
【００１１】
請求項４に記載の発明は、請求項３に記載の発明において、前記長孔の長さがＵ字枠の
幅よりも大きく設定されていることを特徴としている。
【発明の効果】
【００１２】
請求項１に記載の発明は実施の一形態（図１〜図５参照）に対応するものであって、こ
れによれば、組立工程で、絶縁基板に電極脚の端部を取り付ける場合に、該電極脚の端部
に形成したＪ字枠を絶縁基板の端縁に係合させるだけでよく、従来のように電極脚の直線
状端部を絶縁基板の貫通孔に差し込む場合に比べて、その取付作業を容易に行うことがで
きる。また、絶縁基板の長孔の長さが電極脚のＵ字枠の幅よりも大きく設定されているの
で、該Ｕ字枠を長孔に容易に嵌入させることができ、電極の組立作業を迅速容易に行うこ
とができる。
【００１３】
更に、Ｊ字枠の短尺部の先端を絶縁基板の裏面に当接または接近させているので、電極
本体の重みで電極脚が浮き上がることがなく、該電極脚を絶縁基板に密着させ且つ自立さ
せた状態で確実に半田付けすることでき、従来のように電極脚が浮き上がった状態で半田
付けされることによる断線事故を確実に防ぐことができる。
【００１４】
しかも、Ｕ字枠を長孔に嵌入させることにより、該長孔の長手方向とは直交する方向に
沿って電極脚が不測に動くのを阻止すると共に、Ｕ字枠からＪ字枠の長尺部までの間隔が
長孔から絶縁基板の端縁までの間隔と同一またはわずかに大きく設定され、そのＵ字枠と
Ｊ字枠とで絶縁基板を挟持することにより、長孔の長手方向に沿って電極脚が不測に動く
のを阻止しているので、電極を絶縁基板上の所定位置に確実に固定することができる。
【００１５】
請求項２に記載の発明は基本形態に対応するものであって、これによれば、組立工程で
、絶縁基板に電極脚の端部を取り付ける場合に、該電極脚の端部に形成したＪ字枠を絶縁
基板の端縁に係合させるだけでよく、従来のように電極脚の直線状端部を絶縁基板の貫通
孔に差し込む場合に比べて、その取付作業を容易に行うことができる。
【００１６】
また、Ｊ字枠の短尺部の先端を絶縁基板の裏面に当接または接近させているので、電極
本体の重みで電極脚が浮き上がることがなく、該電極脚を絶縁基板に密着させ且つ自立さ
せた状態で確実に半田付けすることでき、従来のように電極脚が浮き上がった状態で半田
付けされることによる断線事故を確実に防ぐことができる。
【００１７】
請求項３に記載の発明によれば、Ｕ字枠を長孔に嵌入させることにより、該長孔の長手
方向とは直交する方向に沿って電極脚が不測に動くのを阻止すると共に、Ｕ字枠からＪ字
枠の長尺部までの間隔が長孔から絶縁基板の端縁までの間隔と同一またはわずかに大きく
設定され、そのＵ字枠とＪ字枠とで絶縁基板を挟持することにより、長孔の長手方向に沿
って電極脚が不測に動くのを阻止しているので、電極を絶縁基板上の所定位置に確実に固
定することができる。
【００１８】
請求項４に記載の発明によれば、絶縁基板の長孔の長さが電極脚のＵ字枠の幅よりも大
きく設定されているので、組立工程で、Ｕ字枠を長孔に容易に嵌入させることができ、電
極の組立作業を迅速容易に行うことができる。
【発明を実施するための最良の形態】
【００１９】
図１〜図５は本発明の実施の一形態であるリモートコントローラを示すものであって、
電極脚３Ｂが、電極本体３Ａから絶縁基板２に対して垂直方向Ｚに沿って延びる立上り部
３ａと、該立上り部３ａから絶縁基板２の表面に沿って水平横方向Ｙに延びる中央部３ｂ
と、該中央部３ｂから絶縁基板２の表面に沿って水平縦方向Ｘに延びる末端部３ｃとから
なり、その末端部３ｃと中央部３ｂとを所定の対向角度θ（９０°）をおいて絶縁基板２
の表面に当接させることより、電極脚３Ｂが絶縁基板２上に安定して載置されている。ま
た、前記末端部３ｃの中央適所を略Ｕ字状に折り曲げてＵ字枠４が形成されると共に、そ
の末端部３ｃの端部を略Ｊ字状に折り曲げてＪ字枠１１が形成されている。上記以外の構
成は図６及び図７に示す構成とほぼ同じであるから、同一部分に同一符号を付してその説
明を省略する。
【００２０】
前記Ｊ字枠１１は、末端部３ｃの端部から直角に折り曲げた長尺部１１ａと、該長尺部
１１ａの先端から略Ｊ状に折り曲げた短尺部１１ｂとかなり、図４に示すように、短尺部
１１ｂの先端から末端部３ｃ（電極脚３Ｂ）までの間隔ｋが絶縁基板２の厚さｍと同一ま
たはわずかに大きく設定され、また、Ｕ字枠４からＪ字枠１１の長尺部１１ａまでの間隔
ｐが長孔６から絶縁基板２のＪ字枠１１を係合させる端縁２ａまでの間隔ｒと同一または
わずかに大きく設定され、更に、長孔６の長さｔがＵ字枠４の幅ｈよりも大きく設定され
ており、該Ｕ字枠４を長孔６に嵌入させたときに、そのＵ字枠４と長孔６の側縁との間に
わずかな隙間ｓが生じるようにしている〔図２（ｂ）参照〕。
【００２１】
半田付け９の手順を説明すると、組立工程で、図５（ａ）に示すように、電極脚３Ｂを
把持して斜めにした状態でＪ字枠１１を絶縁基板２の端縁２ａに係合させ、該電極脚３Ｂ
を絶縁基板２に向けて押し下げることにより、図５（ｂ）に示すように、Ｕ字枠４を長孔
６に嵌入させ、これによって、Ｊ字枠１１の短尺部１１ｂの先端を絶縁基板２の裏面に当
接または接近させることにより、その電極３を絶縁基板２上で自立させ、続いて、電極３
付き絶縁基板２を半田工程に送り込み、図５（ｃ）に示すように、絶縁基板２の裏面にデ
ィップ半田を施し、Ｕ字枠４及びＪ字枠１１をランド８に半田付け９する。
【００２２】
上記構成によれば、組立工程で、絶縁基板２に電極脚３Ｂの端部を取り付ける場合に、
該電極脚３Ｂの端部に形成したＪ字枠１１を絶縁基板２の端縁２ａに係合させるだけでよ
く〔図５（ａ）参照〕、図７（ａ）に示す従来例のように電極脚３Ｂの直線状端部５を絶
縁基板２の貫通孔７に差し込む場合に比べて、その取付作業を容易に行うことができる。
また、絶縁基板２の長孔６の長さｔが電極脚３ＢのＵ字枠４の幅ｈよりも大きく設定され
ているので（図４参照）、該Ｕ字枠４を長孔６に容易に嵌入させることができ、電極３の
組立作業を迅速容易に行うことができる。
【００２３】
更に、Ｊ字枠１１の短尺部１１ｂの先端を絶縁基板２の裏面に当接または接近させるこ
とにより、絶縁基板２の厚さｍ方向（Ｚ−Ｚ方向）に沿って電極脚３Ｂが不測に動くのを
阻止しているので、電極本体３Ａの重みで電極脚３Ｂが浮き上がることがなく、該電極脚
３Ｂを絶縁基板２に密着させ且つ自立させた状態で確実に半田付け９することでき〔図２
（ｂ）参照〕、従来のように電極脚３Ｂが浮き上がった状態で半田付けされることによる
断線事故を確実に防ぐことができる〔図７（ｂ）（ｃ）参照〕。
【００２４】
しかも、Ｕ字枠４を長孔６に嵌入させることにより、該長孔６の長手方向とは直交する
方向（Ｙ−Ｙ方向）に沿って電極脚３Ｂが不測に動くのを阻止すると共に、Ｕ字枠４から
Ｊ字枠１１の長尺部１１ａまでの間隔ｐが長孔６から絶縁基板２の端縁２ａまでの間隔ｒ
と同一またはわずかに大きく設定され、そのＵ字枠４とＪ字枠１１とで絶縁基板２を挟持
することにより、長孔６の長手方向（Ｘ−Ｘ方向）に沿って電極脚３Ｂが不測に動くのを
阻止しているので、電極３を絶縁基板２上の所定位置に確実に固定することができる。
【産業上の利用可能性】
【００２５】
上記の実施の形態では、ＤＶＤレコーダやＤＶＤプレーヤのリモートコントローラを例
にあげて説明したが、これ限定されるわけではなく、例えばテレビジョン受像機などの各
種の電気機器を遠隔操作するためのリモートコントローラにも適用される。
【図面の簡単な説明】
【００２６】
【図１】本発明の実施の一形態であるリモートコントローラの斜視図である。
【図２】（ａ）は同要部の一部切欠き正面図、（ｂ）は同要部の縦断面図、（ｃ）は同要部の平面図である。
【図３】同要部の斜視図である。
【図４】同要部の分解斜視図である。
【図５】（ａ）〜（ｃ）は同半田付け手順を示す縦断面図である。
【図６】従来例を示す斜視図である。
【図７】（ａ）〜（ｃ）は同半田付け手順を示す縦断面図である。
【符号の説明】
【００２７】
１          リモコン本体
２          絶縁基板
２ａ        絶縁基板の端縁
３          電極
３Ａ        電極本体
３Ｂ        電極脚
４          Ｕ字枠
６          長孔
９          半田付け
１１        Ｊ字枠
１１ａ      Ｊ字枠の長尺部
１１ｂ      Ｊ字枠の短尺部
Ｇ          電池
ｈ          Ｕ字枠の幅
ｔ          長孔の長さ
ｋ          短尺部の先端から電極脚までの間隔
ｍ          絶縁基板の厚さ
ｐ          Ｕ字枠からＪ字枠の長尺部までの間隔
ｒ          長孔から絶縁基板の端縁までの間隔
【図１】
2008066011.tif 000003
【図２】
2008066011.tif 000004
【図３】
2008066011.tif 000005
【図４】
2008066011.tif 000006
【図５】
2008066011.tif 000007
【図６】
2008066011.tif 000008
【図７】
2008066011.tif 000009